(57)【要約】【課題】バッテリーをユーザーにとって最適な時期に交換することが可能な医用診断装置を提供する。【解決手段】医用診断装置は、電源として充電式のバッテリーとＡＣ電源とを切り替えて使用できる医用診断装置において、バッテリーの使用状態、および、バッテリーの劣化度合いに基づいて、バッテリーの交換時期を算出する交換時期算出部を備える。例えば、交換時期算出部は、予め定められた劣化度合いに対する実際の劣化度合いの進行の程度に基づいて、バッテリーの交換時期を算出する。【選択図】図１
2019122558.tif 000002
【特許請求の範囲】
【請求項１】
電源として充電式のバッテリーとＡＣ電源とを切り替えて使用できる医用診断装置において、
前記バッテリーの使用状態、および、前記バッテリーの劣化度合いに基づいて、バッテリーの交換時期を算出する交換時期算出部を備える、
医用診断装置。
【請求項２】
前記交換時期算出部は、予め定められた劣化度合いに対する実際の劣化度合いの進行の程度に基づいて、バッテリーの交換時期を算出する、
請求項１に記載の医用診断装置。
【請求項３】
前記バッテリーが連続的に使用される連続使用時間及び当該連続使用時間を要した回数、並びに、前記ＡＣ電源が連続的に使用される連続使用時間及び当該連続使用時間を要した回数を計数する計数部と、
前記バッテリーの連続使用時間の回数及びＡＣ電源の連続使用時間の回数に基づいて、前記バッテリーの使用状態を判定する使用状態判定部と、を備える、
請求項１または２に記載の医用診断装置。
【請求項４】
前記計数部は、バッテリーが使用されてから当該バッテリーの電圧が予め定められた値より低下したことを経て、ＡＣ電源が使用されるまでの時間を、前記バッテリーの連続使用時間から除外する、
請求項３に記載の医用診断装置。
【請求項５】
前記計数部は、バッテリーが使用されてから当該バッテリーの電圧低下のメッセージが示されたことを経て、ＡＣ電源が使用されるまでの時間を、前記バッテリーの連続使用時間から除外する、
請求項３に記載の医用診断装置。
【請求項６】
前記交換時期算出部により算出された前記交換時期を報知する報知部を備える、請求項１から５のいずれか一項に記載の医用診断装置。
【請求項７】
前記医用診断装置は、被検体内部の様子を超音波画像として生成する超音波診断装置である、
請求項１から６のいずれか一項に記載の医用診断装置。
【発明の詳細な説明】
【技術分野】
【０００１】
本発明は、医用診断装置に関する。
【背景技術】
【０００２】
医用診断装置として、例えば、検査対象に対して超音波を送信し、そのエコー信号を受信して処理し、検査対象の断面画像等を生成する超音波診断装置が普及している。
【０００３】
例えば、特許文献１には、電源として充電式のバッテリーとＡＣ電源とを切り替えて使用することができる超音波診断装置が開示されている。すなわち、ＡＣ電源からの入力が検出された場合、ＡＣ電源からの電力が超音波診断装置に供給される。ＡＣ電源からの入力が検出されない場合、バッテリーからの電力が超音波診断装置に供給される。一般的に、バッテリーの電力供給可能時間は、バッテリーのそのときの容量と負荷の電力消費量とで決められる。
【先行技術文献】
【特許文献】
【０００４】
【特許文献１】特開２０１３−１５０７１７号公報
【発明の概要】
【発明が解決しようとする課題】
【０００５】
ところで、バッテリーの供給可能時間は、バッテリーの寿命に応じて減少する傾向にある。したがって、バッテリーの寿命は、バッテリーの交換時期の判断材料となる。
【０００６】
しかしながら、ユーザーがバッテリーを交換する時期は、補助電源として使用されるバッテリーであるか、又は、主電源として使用されるバッテリーであるかによって異なる場合がある。例えば、補助電源として使用されるバッテリーの場合、バッテリーの使用時間が短くなっても支障がないことがある。つまり、バッテリーの寿命が比較的長いと言える。これに対して、主電源として使用されるバッテリーの場合、バッテリーの使用時間が診察時間に大きく影響することがある。つまり、バッテリーの寿命が比較的短いと言える。このため、バッテリーの寿命のみを判断材料としてバッテリーを交換する場合、バッテリーをユーザーにとって最適な時期に交換できない場合があるという問題点があった。
【０００７】
本発明は、バッテリーをユーザーにとって最適な時期に交換することが可能な医用診断装置を提供することを目的とする。
【課題を解決するための手段】
【０００８】
上記の目的を達成するため、本発明における医用診断装置は、
電源として充電式のバッテリーとＡＣ電源とを切り替えて使用できる医用診断装置において、
前記バッテリーの使用状態、および、前記バッテリーの劣化度合いに基づいて、バッテリーの交換時期を算出する交換時期算出部を備える。
【発明の効果】
【０００９】
本発明によれば、バッテリーをユーザーにとって最適な時期に交換することができる。
【図面の簡単な説明】
【００１０】
【図１】本発明の実施の形態に係る医用診断装置を概略的に示すブロック図
【図２】バッテリーの劣化度合いを示す図
【図３】ＡＣ電源の連続使用時間とその連続使用時間を要した回数との関係を表した図
【図４】バッテリーの連続使用時間とその回数との対応関係の一例を示す図
【図５】図４に示す対応関係をブラフに表した図
【図６】バッテリーの連続使用時間とその連続使用時間を要した回数との関係の一例を表した図
【図７】バッテリーの連続使用時間とその連続使用時間を要した回数との関係の一例を表した図
【図８】バッテリーの連続使用時間とその連続使用時間を要した回数との関係の一例を表した図
【発明を実施するための形態】
【００１１】
以下、本発明の実施の形態について、図面を参照しながら説明する。図１は、本発明の実施の形態に係る超音波診断装置の構成を示すブロック図である。超音波診断装置本体１００は、超音波送信部２、送信制御部３、超音波受信部４、信号処理部５、画像生成部６、システム制御部７、操作部８、本体外部入出力部９、表示部１０（本発明の「報知部」に対応）、バッテリー１１、ＡＣアダプター部１２、ＡＣアダプター接続検出部１３、電源制御部１４、電源供給部１５、電源ボタン１６、タイマー１７を備えている。超音波診断装置本体１００は、超音波プローブ１及び電源プラグ１８と接続可能に構成されている。
【００１２】
超音波診断装置本体１００は、バッテリー１１又は電源プラグ１８を介して外部のＡＣ電源から電力が供給される。
【００１３】
超音波診断装置本体１００は、ユーザーが電源ボタン１６を押下することで起動する。電源制御部１４は、電源供給部１５へ各構成部への電源供給制御を行う。
【００１４】
電源供給部１５は、電源制御部１４からの制御に基づいて、バッテリー１１又はＡＣアダプター部１２から供給される電力を各構成部へ適した電力に変換し、供給を行う。
【００１５】
ＡＣアダプター部１２は、電源プラグ１８と接続可能に構成されている。ＡＣアダプター部１２は、電源プラグ１８がＡＣ電源と接続している場合、ＡＣ―ＤＣ変換を行い、電源制御部１４へ電力を供給する。
【００１６】
バッテリー１１は充電式の電源である。バッテリー１１は、ＡＣアダプター部１２への電力供給が無い場合に、充電された電力を電源制御部１４へ供給する。ＡＣ電源と接続したＡＣアダプター部１２及び電源制御部１４を介してバッテリー１１へ電力が供給される。これにより、バッテリー１１が充電される。また、別途外部に充電器を用意して充電し、充電後に超音波診断装置本体１００に充電されたバッテリーを装着して使用することも可能である。
【００１７】
ＡＣアダプター接続検出部１３は、ＡＣアダプター部１２に対してＡＣ電源から電力が供給されているかどうかを監視するとともに、その電源接続の有無を示す識別信号を電源制御部１４へ送信する。電源接続の有無を示す識別信号とは、具体的にはＡＣ電源から電力の供給があるときとないときで異なる信号を出力することによりＡＣ電源と電気的に接続しているか否かを判別できる信号である。
【００１８】
電源制御部１４は、ＡＣアダプター接続検出部１３からの電源接続有無識別信号に基づいてＡＣアダプター部１２からの電力または、バッテリー１１からの電力を電源供給部１５から各部へ送信する制御を行う。
【００１９】
超音波プローブ１は振動子を備えている。超音波プローブ１は、超音波送信部２からの送信電気信号を超音波に変換し、超音波プローブ１を被検体の表面に接触させた状態で振動子から発せられる超音波を被検体に向けて送信する。そして、超音波プローブ１は、被検体からの反射超音波を受信し、振動子によりこれら反射超音波をそれぞれ受信電気信号に変換して、これら受信電気信号を超音波受信部４に供給する。
【００２０】
超音波送信部２は、超音波プローブ１内の振動子へ、超音波を送信するための送信電気信号を供給する。送信制御部３は、超音波プローブ１から被検体に超音波を送信するための送信電気信号を制御する。
【００２１】
超音波受信部４は、超音波プローブ１から受信した受信電気信号を、アナログ―デジタル変換、ゲイン調整等を行い受信信号の生成及び取得する。
【００２２】
信号処理部５は、超音波受信部４が生成した受信信号に対してログ圧縮、エッジエンハンス等の各種デジタル信号処理を行い、画像生成部６へ出力する。
【００２３】
画像生成部６は、信号処理部５が出力したデータに対して、各種画像変換を行い、画像を表示部１０へ表示するための画像データを生成する。
【００２４】
システム制御部７は、超音波送信部２、送信制御部３、超音波受信部４、信号処理部５、画像生成部６、操作部８、本体外部入出力部９、表示部１０、電源供給部１５と接続し、各部又は各部間のシステム制御を行う。
【００２５】
操作部８は、ユーザーが各種操作を行った動作に基づきシステム制御部７へ操作信号を出力する。操作部８は、例えばボタン、トラックボール、ロータリエンコーダ、タッチパネル等である。本体外部入出力部９は、外部デバイス等との接続に用いられる。本体外部入出力部９は、画像生成部６が生成する画像データの外部デバイスへの保存及び読み出しのための画像信号の入出力を行う。システム制御部７は、その入出力制御を行う。
【００２６】
表示部１０は、画像生成部６が生成した画像データを表示する。また、表示部１０は、システム制御部７により算定されるバッテリー１１の交換時期を表示する。操作部８がタッチパネルの場合は、この表示部１０をタッチパネル付きの表示部としてもよい。
【００２７】
以上に説明したように、バッテリー１１は、超音波診断装置本体１００の電源の一つとして用いられる。
【００２８】
図２は、バッテリー１１の劣化度合い示す図である。図２の横軸を充放電の繰り返し回数（サイクルタイム）、縦軸をバッテリー１１の実容量とする。バッテリー１１の実容量は、例えば図２に示すように、充放電の繰り返し回数に応じて徐々に減少していく。図２にバッテリー１１の定格容量を３５００ｍＡｈ示す。なお、以下の説明では、バッテリー１１の連続使用時間（駆動時間）は、定格容量の場合に６０分とする。
【００２９】
超音波診断装置本体１００は、バッテリー１１とＡＣ電源とを切り替えて使用することができる。これにより、バッテリー１１は、補助電源として使われる場合と、主電源として使われる場合とがある。バッテリー１１が補助電源として使われる場合、バッテリー１１の実容量の減少は、超音波診断等に大きく影響しない。これにより、バッテリー１１の実容量の減少は、バッテリー１１の交換時期の判断材料になる場合が少ない。反対に、バッテリー１１が主電源として使われる場合、バッテリー１１の実容量の減少は、超音波診察等に大きく影響する。これにより、バッテリー１１の実容量の減少は、バッテリー１１の交換時期の判断材料になる場合が多い。つまり、バッテリー１１の実容量の減少は、使用状態（補助電源としの使用、主電源としての使用）に応じて、バッテリー１１の交換時期の判断材料となる場合と、判断材料にならない場合とがある。
【００３０】
図３は、ＡＣ電源の連続使用時間とその連続使用時間を要した回数との関係を表した図である。図３における横軸を、1回あたりのＡＣ電源連続使用時間（ｈ）、縦軸を回数とする。図３に示すように、回数は、連続使用時間が４時間および７時間の所に集中している。４時間の連続使用時間を要した回数は約２００回である。また、７時間の連続使用時間を要した回数は約４００回である。以上の結果から、図３に示すＡＣ電源の使用状態は、午前中で一度切って使用される場合と、一日中電源を入れて使用される場合とが想定される。つまり、ＡＣ電源は、午前中や、午後の時間帯又は一日中、使用可能な状態にある。このような超音波診断装置本体１００におけるバッテリー１１は、主に補助電源として使用されていると想定される。以上のように、バッテリー１１の使用状態は、ＡＣ電源の連続使用時間の回数に基づいて判断することができる。
【００３１】
図４は、バッテリー１１の連続使用時間とその回数との対応関係の一例を示す図である。図５は、図４に示す対応関係をブラフに表した図である。図５における横軸を1回あたりのバッテリー１１の連続使用時間（分）とし、縦軸を回数とする。図４および図５から、1回あたりの平均連続使用時間である平均値は３１．７分である。最もデータ数の多い値である最多回数（最高頻度）は、６００回である。その最多回数の連続使用時間は、２５分である。連続使用時間の全データ数１１３５の中央値は、上からまた下から５６７番目の連続使用時間である。５６７番目の連続使用時間は、２５分である。最長時間（最大値）は、６０分である。
【００３２】
以上の平均値、最多回数（最高頻度）、中央値、最長時間（最大値）の中で、最長時間および最多回数は、バッテリー１１の使用状態や、バッテリー１１の交換時期の観点から連続使用時間の長さを個々に評価する際に基準になる。すなわち、最長時間に基づいて、バッテリー１１の実容量を見ることにより、バッテリー１１の交換時期を提示すれば、いずれのユーザーにとっても、バッテリー１１の交換時期が遅すぎることはない。また、最多回数（最高頻度）の連続使用時間に基づいて、バッテリー１１の実容量を見ることにより、バッテリー１１の交換時期を提示すれば、多くの場合において、バッテリー１１の交換時期が最適な時期となる。
【００３３】
図６から図８は、バッテリー１１の連続使用時間とその連続使用時間を要した回数との関係を表した図である。図６から図８の各図における横軸を、1回あたりのバッテリー１１の連続使用時間（分）、縦軸を回数とする。
【００３４】
図６に示すように、例えば、１０分の連続使用時間を要した回数は、約８０回である。また、１５分の連続使用時間を要した回数は、約１０回である。また、２０分以上の連続使用時間を要した回数は、０回である。以上の結果から、図６に示すバッテリー１１は、補助電源として使用される傾向があると考えられる。
【００３５】
図７に示すように、例えば、３０分の連続使用時間を要した回数は、約４０回である。また、４０分の連続使用時間を要した回数は、約１２０回である。また、２５分以下の連続使用時間を要した回数は、０回である。以上の結果から、図７に示すバッテリー１１は、主電源として使用される傾向があると考えられる。
【００３６】
図８に示すように、例えば、１０分の連続使用時間を要した回数は、約５００回である。また、１５分の連続使用時間を要した回数は、約２０回である。また、３０分の連続使用時間を要した回数は、約１００回である。また、４０分の連続使用時間を要した回数は、約１２０回である。図８に示すように、多い回数（高頻度）の連続使用時間が短時間（例えば１０分）と、長時間（例えば４０分）とに分かれている。この結果から、図８に示すバッテリー１１は、補助電源として使用される傾向、主電源として使用される傾向のいずれの傾向もないと考えられる。このような使用状況は、例えば、１つの超音波診断装置を複数のユーザーが共有する場合に生じ得る。
【００３７】
以上に説明したように、本実施の形態では、バッテリー１１の交換時期は、バッテリー１１の使用状態（連続使用時間及び回数）に応じて定められる。
【００３８】
本実施の形態では、超音波診断装置は、計数部と、使用状態判定部と、交換時期算出部とを備える。なお、システム制御部７は、計数部、使用状態判定部および交換時期算出部としての機能を有している。
【００３９】
システム制御部７（計数部）は、バッテリー１１の連続使用時間及びその連続使用時間を要した回数、並びに、ＡＣ電源の連続使用時間及びその連続使用時間を要した回数を計数する。システム制御部７は、電源制御部１４からの制御信号に基づいて、それぞれの連続使用時間と回数とを計数する。システム制御部７は、タイマー１７の計測値を用いて、連続使用時間を計測する。
【００４０】
システム制御部７は、バッテリー１１が使用されてからそのバッテリー１１の電圧が予め定められた値より低下したことを経て、ＡＣ電源が使用されるまでの時間を、バッテリー１１の連続使用時間から除外する。バッテリー１１の本来の使用状態が、ＡＣ電源の使用であるにも拘わらず、誤操作や停電等のユーザーの意に反して、バッテリー１１の使用になった場合が想定される。バッテリー１１の連続使用時間から除外することにより、バッテリー１１の本来の使用状態をより確実に把握することができる。なお、上記の場合、システム制御部７は、ＡＣ電源が使用されてから、ＡＣ電源の連続使用時間が計数するが、これに限らず、バッテリー１１が使用されてからＡＣ電源が使用されるまでの時間を、ＡＣ電源の連続使用時間に加算してもよい。これにより、全部の電源（バッテリー１１およびＡＣ電源）の連続使用時間に対するバッテリー１１の連続使用時間をより確実に把握することができる。
【００４１】
システム制御部７（使用状態判定部）は、バッテリー１１の連続使用時間の回数及びＡＣ電源の連続使用時間の回数に基づいて、バッテリー１１の使用状態を判定する。システム制御部７は、例えば、最多回数（最高頻度）の連続使用時間に基づいて、バッテリー１１が補助電源として使用される傾向があるか、又は、主電源として使用される傾向があるか、又は、いずれの傾向もないか、を判定する。図６に示すバッテリー１１の例においては、システム制御部７は、最多回数約８０回の連続使用時間が１０分であることに基づいて、バッテリー１１が補助電源として使用される傾向があると判定する。また、図７に示すバッテリー１１においては、システム制御部７は、最多回数約４０回の連続使用時間が４０分であることに基づいて、バッテリー１１が主電源として使用される傾向があると判定する。また、図８に示すバッテリー１１において、システム制御部７は、多い回数（高頻度）の連続使用時間が短時間（例えば１０分）と、長時間（例えば４０分）とに分かれていることに基づいて、バッテリー１１がいずれの傾向もないと判定する。
【００４２】
システム制御部７（交換時期算出部）は、バッテリー１１の使用状態および図２に示すバッテリー１１の劣化度合いに基づいて、バッテリーの交換時期を算出する。バッテリーの一例としてバッテリーの定格容量が３５００ｍＡｈ、定格容量での連続使用時間が６０分の例で以下示す。具体的には、システム制御部７は、バッテリー１１が補助電源として使用される傾向がある場合、バッテリー１１の交換時期を、バッテリー１１の実容量が最長の連続使用時間（図６では１０分）に相当する容量である約５８０ｍＡｈ（＝定格容量３５００ｍＡｈ＊１／６）に減少した時に決定する。なお、バッテリー１１の交換時期における実容量は、５８０ｍＡｈと少ないが、一見すると、交換時期として遅めであるが、これまでの連続使用時間のうちの最長時間（１０分）は確保されるため、実容量の少なさは、超音波診断等に影響を与えるものではない。つまり、バッテリー１１をユーザーにとって最適な時期に交換することが可能となる。
【００４３】
また、システム制御部７は、バッテリー１１が主電源として使用される傾向がある場合、バッテリー１１の交換時期を、バッテリー１１の実容量が最多回数（最高頻度）の連続使用時間（図７では４０分）に相当する容量である約２３３０ｍＡｈ（＝定格容量３５００ｍＡｈ＊２／３）に減少した時に決定する。なお、バッテリー１１の交換時期における実容量は、２３３０ｍＡｈと多く、一見して、交換時期としては早めであるが、これまでの連続使用時間のうちの最多回数の時間（４０分）を確保することは、超音波診断等に影響を与えるものではない。つまり、バッテリー１１をユーザーにとって最適な時期に交換することが可能となる。
【００４４】
また、システム制御部７は、いずれの傾向もない場合、バッテリー１１の交換時期を、バッテリー１１の実容量が最長の連続使用時間（図８では４０分）に相当する容量である約２３３０ｍＡｈ（＝定格容量３５００ｍＡｈ＊２／３）に減少した時に決定する。なお、バッテリー１１の交換時期における実容量は、２３３０ｍＡｈと多く、一見すると、交換時期としては早めであるが、連続使用時間が長時間と短時間とに分かれていることから、これまでの連続使用時間のうちの最長時間（４０分）を確保することにより、超音波診断等に影響を与えない。
【００４５】
上記実施の形態における超音波診断装置によれば、システム制御部７は、バッテリー１１が使用される連続使用時間及び当該連続使用時間を要した回数、並びに、ＡＣ電源が使用される連続使用時間及び当該連続使用時間を要した回数を計数する計数部と、バッテリー１１の連続使用時間の回数及びＡＣ電源の連続使用時間の回数に基づいて、バッテリー１１の使用状態を判定する使用状態判定部と、バッテリー１１の使用状態、および、バッテリーの劣化度合いに基づいて、バッテリー１１の交換時期を算出する交換時期算出部とのそれぞれの機能を有する。これにより、バッテリー１１の交換時期は、バッテリー１１の使用状態に応じたものになる。このため、バッテリー１１をユーザーにとって最適な時期に交換することができる。
【００４６】
なお、上記実施の形態においては、システム制御部７は、予め定められた基準となる劣化度合い対する実際の劣化度合いの進行の程度に基づいて、バッテリー１１の交換時期を算出してもよい。具体的には、システム制御部７は、初めて電源をオンしてからバッテリー１１の実容量が例えば定格容量の所定割合（例えば８０％）になるまでの予め定められたサイクルタイム（基準となる劣化度合いにおけるサイクル回数）より実際のサイクルタイムがどの程度多いか又は少ないかを算定する。システム制御部７は、実際のサイクルタイムが基準となるサイクルタイムより少ない場合、実際の劣化が速いと算定し、実際のサイクルタイムが基準となるサイクルタイムより多い場合、実際の劣化が遅いと算定する。システム制御部７は、例えば、実際の劣化度合いが基準となる劣化度合いより１０％速い場合、基準となる劣化度合いに基づいて算出する交換時期より１０％早めの交換時期を算出する。これにより、バッテリー１１をユーザーにとってより最適な時期に交換することができる。
【００４７】
また、上記実施の形態においては、システム制御部７によるバッテリー１１の交換時期の算出は、バッテリー１１の劣化度合いに基づいて行われるが、本発明は、これに限らず、例えば、バッテリー１１の劣化度合いに代えて、バッテリー１１の累積連続使用時間に基づいて行われてもよい。また、例えば、バッテリー１１の劣化度合いに代えて、全部の電源（バッテリー１１およびＡＣ電源）の累積連続使用時間に対するバッテリー１１の累積連続使用時間に基づいて行われてもよい。さらに、上記のそれぞれの累積連続使用時間の少なくとも１つとバッテリー１１の劣化度合いとの組合せとに基づいて行われてもよい。さらに、例えば、バッテリー１１の劣化度合いとバッテリー１１の交換時期との関係を表すテーブルに基づいて行われてもよい。
【００４８】
また、上記実施の形態においては、システム制御部７は、バッテリー１１が使用されてからそのバッテリー１１の電圧が予め定められた値より低下したことを経て、ＡＣ電源が使用されるまでの時間を、バッテリー１１の連続使用時間から除外することとした。本発明は、これに限らず、例えば、システム制御部７は、バッテリー１１が使用されてからバッテリー１１の電圧低下のメッセージが表示部１０に表示されたことを経て、ＡＣ電源が使用されるまでの時間を、バッテリー１１の連続使用時間から除外してもよい。
【００４９】
また、上記実施の形態では、システム制御部７は、最多回数（最高頻度）および最長時間（最大値）に基づいて、バッテリー１１の交換時期を算出したが、本発明は、これにかぎらない。1回あたりの平均連続使用時間である平均値および連続使用時間の全データ数の中央値は、バッテリー１１の使用状態や、バッテリー１１の交換時期の観点から連続使用時間の長さを個々に評価する際に基準となるものではないが、連続使用時間の全体の評価をする際に目安になる。これにより、システム制御部７は、平均値および中央値の少なくとも１つを参照して、バッテリー１１の交換時期を算出してもよい。
【００５０】
また、上記実施の形態では、医用診断装置として超音波診断装置を一例に挙げたが、本発明はこれに限らず、バッテリー１１とＡＣ電源とを切り替えて使用できる医用診断装置であればよく、例えば、Ｘ線診断装置等でもよい。
【００５１】
その他、上記実施の形態は、何れも本発明の実施するにあたっての具体化の一例を示したものに過ぎず、これらによって本発明の技術的範囲が限定的に解釈されてはならないものである。すなわち、本発明はその要旨、またはその主要な特徴から逸脱することなく、様々な形で実施することができる。
【符号の説明】
【００５２】
１  超音波プローブ
７  システム制御部
１１  バッテリー
１２  ＡＣアダプター部
１３  ＡＣアダプター接続検出部
１４  電源制御部
１５  電源供給部
１６  電源ボタン
１７  タイマー
１８  電源プラグ
１００  超音波診断装置本体
【図１】
2019122558.tif 000003
【図２】
2019122558.tif 000004
【図３】
2019122558.tif 000005
【図４】
2019122558.tif 000006
【図５】
2019122558.tif 000007
【図６】
2019122558.tif 000008
【図７】
2019122558.tif 000009
【図８】
2019122558.tif 000010